(57)【要約】      （修正有）【課題】大掛かりな装置やコストが高いものを必要とせず、使用している間に移動・脱落・紛失する心配がなく、十分な害鳥忌避効果が得られ、剥離時に被着体を損傷すること無く除去することが出来る害鳥忌避用の自着性粘着テープを提供する。【解決手段】支持体２の片面に粘着剤３層を設けた粘着テープ１であって、支持体２に鳥類忌避剤を塗布、混練りまたは含浸させ、さらに粘着テープ１の粘着特性として、対ステンレス板粘着力が４．０Ｎ／１０ｍｍ以下、かつ自着粘着力が６．０Ｎ／１０ｍｍ以上である。【選択図】図１
0003210516.tif 000002
【実用新案登録請求の範囲】
【請求項１】
支持体の片面に粘着剤層を設けた粘着テープであって、前記支持体に鳥類忌避剤を塗布、混練りまたは含浸させ、さらに前記粘着テープの粘着特性として、対ステンレス板粘着力が４．０Ｎ／１０ｍｍ以下、かつ自着粘着力が６．０Ｎ／１０ｍｍ以上であることを特徴とする害鳥忌避用自着性粘着テープ。
【考案の詳細な説明】
【技術分野】
【０００１】
本考案は、害鳥忌避用の自着性粘着テープに関する。
【背景技術】
【０００２】
カラスは雑食性で、木の実や生ゴミなど色々なものを食べる。森林や農耕地などに生息するが、近年は市街地にも生息している。市街地では、カラスがゴミ集積所などに集まり、ゴミ袋を破いて生ゴミを食べ散らかす被害が起こっている。散らかったゴミは街の美観を損ない、ゴミ収集業務にも支障をきたす。
【０００３】
カラス以外の鳥類では、例えばハトやスズメ等の鳥類が建物に飛来すると、糞や羽毛を落として建物を汚染する被害が起こっている。近年、アパートやマンションではハトの糞による被害が社会問題になっている。ハトの糞は、悪臭を放ったり、感染症の原因となる病原微生物の拡散や、糞の汚れにより美観を損ねる等の問題を起こしている。
【０００４】
このような害鳥による被害を防ぐために、従来から、防鳥ネットを使用する、キラキラと光り輝く物品を設置して視覚刺激で威嚇する、または大きな爆発音を発生させる装置を設置して聴覚刺激で威嚇しするといった物理的な対策が行われてきたが、駆逐効果が一時的である場合もあった。物理的な対策は一長一短があり、優れた駆逐効果が得られる方法であっても、大掛かりな威嚇装置やコストが高い方法は、個人で対策を施すには困難な場合があった。
【０００５】
一方、害鳥被害への化学的な対策として、鳥類忌避剤を含有するラベルやシートが考案されている。臭気を有する忌避剤としてパラ・ジクロール・ベンゼンを含浸させた鳥類忌避テープや（特許文献１）、銅、ヒ素、鉛又は錫を含有する鳥忌避用ラベルが開示されている（特許文献２）。
【０００６】
上記の特許文献１および特許文献２の発明においては、害鳥忌避用のテープやラベルを、屋根、軒、手すり、物干し、ベランダ、フェンス、防鳥ネット、ゴミ収集袋等の被着体に貼り付け、または巻回使用するのだが、テープやラベルの粘着力が弱すぎると使用している間に移動・脱落・紛失等する可能性があり、十分な害鳥忌避効果が得られない恐れがある。
【０００７】
一方で、テープやラベルの粘着力が強すぎると、使用後に剥離しようとする時、被着体の表面等が剥ぎ取られて被着体を損傷してしまう可能性があり、被着体の価値を著しく低下させてしまう恐れがある。より具体的には、剥離時に自宅のベランダやフェンスの表面塗装が剥がれてしまったり、ゴミ集積場の防鳥ネットが破れてしまったりする不具合が生じる恐れがある。
【先行技術文献】
【特許文献】
【０００８】
【特許文献１】実開昭５１−３９０８０号公報
【特許文献２】特開２００６−１２１９０１号公報
【考案の概要】
【考案が解決しようとする課題】
【０００９】
本考案は、上記のような事情に鑑み、大掛かりな装置やコストが高いものを必要とせず、使用している間に移動・脱落・紛失する心配がなく、十分な害鳥忌避効果が得られ、剥離時に被着体を損傷すること無く除去することが出来る害鳥忌避用の自着性粘着テープを提供することを目的とする。
【課題を解決するための手段】
【００１０】
すなわち本考案は、上記課題を解決するために、鳥類忌避剤を含有する粘着テープであって、粘着剤面同士を合掌貼りにして被着体に巻回使用する際、被着体に対しては適度に弱い粘着力を示し、粘着剤面同士を貼り付けた場合の粘着力（自着力）が著しく大きくなるような構成である害鳥忌避用の自着性粘着テープとする。
【考案の効果】
【００１１】
上記構成により、本考案の害鳥忌避用自着性粘着テープは、任意の被着体に容易に貼付することができ、使用中に移動・脱落・紛失の心配がなく、剥離時に被着体を損傷することが無い。
【図面の簡単な説明】
【００１２】
【図１】本考案の構成の一例を示した図である。
【考案を実施するための形態】
【００１３】
以下に本考案の実施形態を記載するが、本考案は以下の実施形態だけに限定されるものではない。
【００１４】
本考案は、以下の構成であり、これにより本考案の上記課題が解決される。
［１] 支持体の片面に粘着剤層を設けた粘着テープであって、該支持体に鳥類忌避剤を塗布、混練りまたは含浸させ、さらに該粘着テープの粘着特性として、対ステンレス板粘着力が４．０Ｎ／１０ｍｍ以下、かつ自着粘着力が６．０Ｎ／１０ｍｍ以上であることを特徴とする害鳥忌避用自着性粘着テープ。
［２]該対ステンレス板粘着力が３．０Ｎ／ｍｍ以下である［１］記載の害鳥忌避用自着性粘着テープ。
［３] 該対ステンレス板粘着力が２．０Ｎ／ｍｍである［１］記載の害鳥忌避用自着性粘着テープ。
［４] 該自着粘着力が７．５Ｎ／ｍｍ以上である［１］記載の害鳥忌避用自着性粘着テープ。
［５］該自着粘着力が９．０Ｎ／ｍｍ以上である［１］記載の害鳥忌避用自着性粘着テープ。
【００１５】
本考案の害鳥忌避用自着性粘着テープの全体構成は、支持体の片面に粘着剤層が設けられており、該支持体に鳥類忌避剤を塗布、混練りまたは含浸させる構成である。以下、これら各要素を詳述する。
【００１６】
本考案の害鳥忌避用自着性粘着テープに係る支持体は、屋外使用に対応可能な耐水性があれば特に限定されず、ポリオレフィン系樹脂、ポリエステル系樹脂、塩化ビニル系樹脂、ポリイミド系樹脂等で形成したプラスチックフィルム類等を使用することができる。支持体の厚さは、貼付や剥離の取り扱いが可能であれば特に限定されないが、例えば厚さ２０〜１００μｍ程度とするのが好ましい。
【００１７】
本考案の害鳥忌避用自着性粘着テープに係る支持体には、強度、耐水性、耐候性、剛性等の特性を調整するために、含浸剤、背面処理剤などによって適宜処理を施すようにすることができる。また、生分解性や光分解性のプラスチックフィルムを使用すると環境面から好ましいものとすることができる。さらに、後述する粘着剤との密着性を向上させるために、片面又は両面にコロナ処理、プラズマ処理、プライマー処理などの表面処理を施すようにすることもできる。
【００１８】
本考案の害鳥忌避用自着性粘着テープに係る支持体に塗布、混練りまたは含浸させる鳥類忌避剤は、鳥類の嗅覚や味覚を刺激し忌避できるものであれば特に限定されないが、農薬として登録されている鳥類忌避剤だけでなく、メントール、トウガラシエキス、カプサイシン、ノニル酸ワニリルアミド、ハーブ等の植物抽出エキス、等の成分も使用することができる。また、鳥類忌避剤をマイクロカプセル化し、成分を徐放することも可能である。上記鳥類忌避剤を含むインクとしては、澱粉糊、フッ素系樹脂、シリコーン系樹脂、酢酸ビニル系樹脂、アクリル系樹脂、エポキシ系樹脂、メラミン系樹脂、ウレタン系樹脂等を用いることが出来る。上記インクは、必要に応じて希釈・分散用の溶剤、顔料や染料等の着色剤、各種添加剤を含有することも出来る。上記インクは例えば溶剤型、無溶剤型いずれも用いることができ、光照射により硬化するインクを使用することも出来る。上記インクの塗工方法は、グラビア印刷、スクリーン印刷等、公知の方法を用いることが出来る。上記インクの厚さは、特に限定されないが、１０〜１００μｍとするのが好ましい。上記インクの着色を使って支持体表面に任意の文字や図形を印刷することも可能である。
【００１９】
本考案の害鳥忌避用自着性粘着テープに係る粘着剤は、ゴム系が好ましい。ゴム系粘着剤のエラストマーとしては、特に限定されないが、特に天然ゴム、ブチルゴム、ポリイソブチレン、スチレン−イソプレン−スチレンブロック共重合体（ＳＩＳ）を好適に用いることができる。その他、アクリル系粘着剤、シリコーン系粘着剤、ウレタン系粘着剤も使用することが出来る。
【００２０】
本考案の害鳥忌避用自着性粘着テープに係る粘着剤は、上記エラストマーの他、粘着付与樹脂、充填剤を含有し、必要に応じて、軟化剤、可塑剤、紫外線吸収剤、老化防止剤などの各種添加剤を配合したものが好ましい。例えば、粘着付与樹脂としては、ロジン系樹脂、テルペン系樹脂、脂肪族系石油樹脂、脂環族系石油樹脂、芳香族石油樹脂、クマロンインデン樹脂、スチレン系樹脂、フェノール系樹脂、キシレン樹脂などの合成樹脂を挙げることができる。この粘着付与樹脂の添加量は、上記エラストマー１００重量部に対して通常１０〜１００重量部程度で使用される。
【００２１】
充填剤としては、例えば、炭酸カルシウム、酸化亜鉛、ケイ酸アルミニウム、シリカ、タルク等が挙げられる。これらの充填剤の中でも特に炭酸カルシウムが好ましい。これらの充填剤を配合すると、粘着剤に適度の凝集性を付与することができる。充填剤の粒子径は、特に限定されないが、５μｍ以下が好ましい。充填剤は上記エラストマー１００重量部に対して通常２０〜２００重量部程度で使用される。
【００２２】
本考案の害鳥忌避用自着性粘着テープは、対ステンレス板粘着力が４．０Ｎ／１０ｍｍ以下、好ましくは３．０Ｎ／１０ｍｍ以下、さらに好ましくは２．０Ｎ／１０ｍｍ以下であるとよい。対ステンレス板粘着力が４．０Ｎ／１０ｍｍより大きいと、剥離時に被着体を傷めてしまう恐れがあり、対ステンレス板粘着力が０．１Ｎ／１０ｍｍより小さいと、使用中に貼付した位置から移動してしまったり、例えばゴミ袋を封じる際に抜け落ちて袋口が開いてしまう等、不都合が生じることがある。
自着粘着力は６．０Ｎ／１０ｍｍ以上、７．５Ｎ／１０ｍｍ以上、さらに好ましくは９．０Ｎ／１０ｍｍ以上であるとよい。自着粘着力が６．０Ｎ／１０ｍｍより小さいと使用中に脱落・紛失する恐れがある。
粘着剤層の厚さは、貼付や剥離の取り扱いが可能であれば特に限定されず、例えば厚さ１０〜１００μｍ程度とするのが好ましい。
【００２３】
本考案の害鳥忌避用自着性粘着テープの使用方法は、ベランダの手すり、物干し、フェンス、防鳥ネット、ゴミ収集袋等の被着体に貼り付け、または巻回して使用する。被着体がベランダの手すりや物干し等であれば、本考案の害鳥忌避用自着性粘着テープを一定の長さに裁断し、被着体に巻きつけて、粘着剤面同士を貼り付けて固定することができる。被着体がゴミ収集袋の袋口であれば、本考案の害鳥忌避用自着性粘着テープを、束ねた袋口に２〜３周程度きつく巻回したのち、巻き始めと巻き終わりのテープの粘着剤面同士を貼り合わせて袋口を確実に閉じることができる。
【実施例】
【００２４】
＜実施例１＞
支持体として厚さ４０μｍのポリプロピレンフィルムの片面に、害鳥忌避剤含有インクを乾燥後の厚さ１０μｍとなるように塗布し乾燥させ、スチレン−イソプレン−スチレンブロック共重合体（ＳＩＳ）１００重量部、石油系樹脂５０重量部および炭酸カルシウム５０重量部を含有する粘着剤組成物を塗布し乾燥させ、粘着剤層の厚さが２０μｍの粘着テープを作製した。この害鳥忌避用自着性粘着テープの対ステンレス板粘着力は３．１９Ｎ／１０ｍｍであり、自着粘着力は７．８５Ｎ／１０ｍｍであった。
【００２５】
対ステンレス板粘着力の測定方法は、ＪＩＳ  Ｚ０２３７に準じて行った。すなわち、２３℃・５０％ＲＨの条件下、幅１０ｍｍに成形した害鳥忌避用自着性粘着テープの試験片を、鏡面仕上げのステンレスＳＵＳ３０４鋼板の表面に貼付し、幅５０ｍｍの１ｋｇローラーで１往復厚着した後、１分以内に試験板に対して１８０°の方向に３００ｍｍ／分で試験片を剥離し、そのとき得られた剥離力（Ｎ／１０ｍｍ）を測定した。
【００２６】
自着粘着力の測定方法は、２３℃・５０％ＲＨの条件下、幅１０ｍｍに成形した害鳥忌避用自着性粘着テープの試験片の粘着剤面同士を内側として、貼り合わせ長さが１００ｍｍ以上になるように、相対する試験片のエッジがずれないように貼り合わせ、幅５０ｍｍの２ｋｇローラーで１往復厚着し、３０分間放置した。その後、上記試験片をインストロン型引張り試験機に固定し、剥離速度３００ｍｍ／分でＴ型剥離し、そのとき得られた剥離力（Ｎ／１０ｍｍ）を測定した。
【符号の説明】
【００２７】
１  害鳥忌避用自着性粘着テープ
２  鳥類忌避剤含有支持体
３  粘着剤
【図１】
0003210516.tif 000003